(57)【要約】      （修正有）【課題】生体からの排出物の画像または生体の対象領域の画像のいずれかの画像の一部に色が異なる領域があるかまたはノイズが載ったとしても、特定の病気の可能性の有無または健康状態の善し悪しの判定の精度を維持する。【解決手段】生体からの排出物の画像または生体の対象領域の画像から複数の画像領域を抽出する抽出部と、抽出された画像領域それぞれについて、色情報を表す色特徴量を生成する生成部と、生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を用いて、特定の病気の可能性の有無または健康状態の善し悪しを判定する判定部と、判定部による複数の判定結果を多数決して、多数決結果に基づく出力情報を出力する多数決部と、を有する。【選択図】図７
2018054443.tif 000002
【特許請求の範囲】
【請求項１】
生体からの排出物の画像または生体の対象領域の画像から複数の画像領域を抽出する抽出部と、
前記抽出された画像領域それぞれについて、色情報を表す色特徴量を生成する生成部と、
前記生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を用いて、特定の病気の可能性の有無または健康状態の善し悪しを判定する判定部と、
前記判定部による複数の判定結果を多数決して、多数決結果に基づく出力情報を出力する多数決部と、
を備える情報処理装置。
【請求項２】
前記判定部は、前記色特徴量それぞれについて、前記第１の特徴量と前記色特徴量との類似度、及び前記第２の特徴量と前記色特徴量との類似度を用いて、判定が可能か否か決定し、判定が可能で無ければ前記判定結果として判定不能と判定し、
前記判定結果それぞれは、特定の病気の可能性の有無、判定不能の三つの選択肢が取り得るか、または健康状態の善し悪し、判定不能の三つの選択肢が取り得、
前記多数決部は、多数決の結果、判定不能となった場合には、所定の時間経過後の再判定を促すための出力情報を出力する
請求項１に記載の情報処理装置。
【請求項３】
前記生体からの排出物は、便であり、
前記特定の病気は、胆道閉鎖症であり、
前記色情報は、色相、彩度のうち少なくとも一つが含まれており、
前記判定部は、胆道閉鎖症の可能性の有無を判定する
請求項１または２に記載の情報処理装置。
【請求項４】
生体からの排出物の画像または生体の対象領域の画像から複数の画像領域を抽出する抽出部と、
前記抽出された画像領域それぞれについて、色情報を表す色特徴量を生成する生成部と、
前記生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を用いて、特定の病気の可能性の有無または健康状態の善し悪しを判定する判定部と、
前記判定部による複数の判定結果を多数決して、多数決結果に基づく出力情報を出力する多数決部と、
を備える情報処理システム。
【請求項５】
コンピュータを、
生体からの排出物の画像または生体の対象領域の画像から複数の画像領域を抽出する抽出部と、
前記抽出された画像領域それぞれについて、色情報を表す色特徴量を生成する生成部と、
前記生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を用いて、特定の病気の可能性の有無または健康状態の善し悪しを判定する判定部と、
前記判定部による複数の判定結果を多数決して、多数決結果に基づく出力情報を出力する多数決部を機能させるためのプログラム。
【発明の詳細な説明】
【技術分野】
【０００１】
本発明は、情報処理装置、情報処理システム及びプログラムに関する。
【背景技術】
【０００２】
日本においては、胆道閉鎖症のスクリーニングとして便色カラーカードが２０１２年より全国的に導入された。被特許文献１では、米国での胆道閉鎖症スクリーニングを目的としたスマートフォン用のアプリ（PoopMD）の開発と運用について報告されている。PoopMDは便色を撮影し、その色から胆道閉鎖症の可能性の有無を自動で判定するアプリである。判別システムの土台として、台湾で全国的に運用されている便色カラーカードのRGB情報を基にして、病気の可能性の有無を示すアラートを出す閾値の設定がおこなわれている。養育者の主観的な便色判断ではなく、自動判別化された便色カラーカードのモバイル版といえる。
【先行技術文献】
【非特許文献】
【０００３】
【非特許文献１】Franciscovich, Amy, et al. "PoopMD, a Mobile Health Application, Accurately Identifies Infant Acholic Stools." PloS one 10.7 (2015): e0132270
【発明の概要】
【発明が解決しようとする課題】
【０００４】
光の当たり方によって、便の画像には明るい所と暗い所が生じる。被特許文献１では、ユーザが画像領域を指定するため、画像領域の指定場所によっては、画像領域内の一部が非常に明るいあるいは暗いために、その部分の色に引きずられて誤った判定をしてしまう可能性がある。このように、画像の一部に色が異なる領域があるか、またはノイズが載ってしまうと誤った判定をしてしまう可能性がある。
【０００５】
この問題は、便の画像の判定だけでなく、生体（例えば、人、犬、猫など）からの他の排出物（例えば、尿、涙など）の画像、または生体の対象領域（例えば、白目、顔の皮膚、腸内など）の画像の判定においても起り得る問題である。また、この問題は、胆道閉鎖症だけの問題ではなく、他の特定の病気の可能性の有無を判定するとき、または健康状態の善し悪しを判定するときにも起り得る問題である。
【０００６】
本発明は、上記問題に鑑みてなされたものであり、生体からの排出物の画像または生体の対象領域の画像のいずれかの画像の一部に色が異なる領域があるかまたはノイズが載ったとしても、特定の病気の可能性の有無または健康状態の善し悪しの判定の精度を維持することを可能とする情報処理装置、情報処理システム及びプログラムを提供することを目的とする。
【課題を解決するための手段】
【０００７】
本発明の第１の態様に係る情報処理装置は、生体からの排出物の画像または生体の対象領域の画像から複数の画像領域を抽出する抽出部と、前記抽出された画像領域それぞれについて、色情報を表す色特徴量を生成する生成部と、前記生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を用いて、特定の病気の可能性の有無または健康状態の善し悪しを判定する判定部と、前記判定部による複数の判定結果を多数決して、多数決結果に基づく出力情報を出力する多数決部と、を備える。
【０００８】
この構成によれば、画像から抽出した複数の画像領域について判定を行い、判定で得られた複数の判定結果を多数決する。このため、画像の一部に色が異なる領域があるかまたはノイズが載って一部の画像領域について間違った判定を行ったとしても、他の過半数以上の画像領域で正しい判定を行えば、正しい判定結果を得ることができる。これにより、便の画像の一部に色が異なる領域があるかまたはノイズが載ったとしても、特定の病気の可能性の有無または健康状態の善し悪しの判定の精度を維持することができる。
【０００９】
本発明の第２の態様に係る情報処理装置は、第１の態様に係る情報処理装置であって、前記判定部は、前記色特徴量それぞれについて、前記第１の特徴量と前記色特徴量との類似度、及び前記第２の特徴量と前記色特徴量との類似度を用いて、判定が可能か否か決定し、判定が可能で無ければ前記判定結果として判定不能と判定し、前記判定結果それぞれは、特定の病気の可能性の有無、判定不能の三つの選択肢が取り得るか、または健康状態の善し悪し、判定不能の三つの選択肢が取り得、前記多数決部は、多数決の結果、判定不能となった場合には、所定の時間経過後の再判定を促すための出力情報を出力する。
【００１０】
この構成によれば、判定不能の場合に、翌日にもう一度検査を行うように促すため、翌日に、排出物または対象領域の画像を取得した場合に色が変っていた場合に、特定の病気の可能性が有るかあるいは健康状態が悪いと判断することができる。これにより、継時的な観察と判断を行うように促すことができ、特定の病気あるいは健康状態悪化の早期発見を促すことができる。
【００１１】
本発明の第３の態様に係る情報処理装置は、第１または第２の態様に係る情報処理装置であって、前記生体からの排出物は、便であり、前記特定の病気は、胆道閉鎖症であり、前記色情報は、色相、彩度のうち少なくとも一つが含まれており、前記判定部は、胆道閉鎖症の可能性の有無を判定する。
【００１２】
この構成によれば、胆道閉鎖症の有無をアウトカムとして、ロジスティック回帰分析を行った結果、最も統計的に有意であった色相、彩度のうち少なくとも一つの情報を用いて判定するので、胆道閉鎖症の可能性の有無を精度良く判定することができる。
【００１３】
本発明の第４の態様に係る情報処理システムは、生体からの排出物の画像または生体の対象領域の画像から複数の画像領域を抽出する抽出部と、前記抽出された画像領域それぞれについて、色情報を表す色特徴量を生成する生成部と、前記生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を用いて、特定の病気の可能性の有無または健康状態の善し悪しを判定する判定部と、前記判定部による複数の判定結果を多数決して、多数決結果に基づく出力情報を出力する多数決部と、を備える。
【００１４】
この構成によれば、画像から抽出した複数の画像領域について判定を行い、判定で得られた複数の判定結果を多数決する。このため、画像の一部に色が異なる領域があるかまたはノイズが載って一部の画像領域について間違った判定を行ったとしても、他の過半数以上の画像領域で正しい判定を行えば、正しい判定結果を得ることができる。これにより、便の画像の一部に色が異なる領域があるかまたはノイズが載ったとしても、特定の病気の可能性の有無または健康状態の善し悪しの判定の精度を維持することができる。
【００１５】
本発明の第５の態様に係るプログラムは、コンピュータを、生体からの排出物の画像または生体の対象領域の画像から複数の画像領域を抽出する抽出部と、前記抽出された画像領域それぞれについて、色情報を表す色特徴量を生成する生成部と、前記生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を用いて、特定の病気の可能性の有無または健康状態の善し悪しを判定する判定部と、前記判定部による複数の判定結果を多数決して、多数決結果に基づく出力情報を出力する多数決部を機能させるためのプログラムである。
【００１６】
この構成によれば、画像から抽出した複数の画像領域について判定を行い、判定で得られた複数の判定結果を多数決する。このため、画像の一部に色が異なる領域があるかまたはノイズが載って一部の画像領域について間違った判定を行ったとしても、他の過半数以上の画像領域で正しい判定を行えば、正しい判定結果を得ることができる。これにより、便の画像の一部に色が異なる領域があるかまたはノイズが載ったとしても、特定の病気の可能性の有無または健康状態の善し悪しの判定の精度を維持することができる。
【発明の効果】
【００１７】
本発明によれば、画像から抽出した複数の画像領域について判定を行い、判定で得られた複数の判定結果を多数決する。このため、画像の一部に色が異なる領域があるかまたはノイズが載って一部の画像領域について間違った判定を行ったとしても、他の過半数以上の画像領域で正しい判定を行えば、正しい判定結果を得ることができる。これにより、便の画像の一部に色が異なる領域があるかまたはノイズが載ったとしても、特定の病気の可能性の有無または健康状態の善し悪しの判定の精度を維持することができる。
【図面の簡単な説明】
【００１８】
【図１】ロジスティック回帰分析の結果を示す表である。
【図２】第１の実施形態に係る情報処理システムの概略構成図である。
【図３】端末装置の概略構成図である。
【図４】対象アプリにおける便の画像領域の指定方法である。
【図５】対象アプリにおける便の画像領域の別の指定方法である。
【図６】第１の実施形態に係る情報処理装置の概略構成図である。
【図７】第１の実施形態に係る情報処理装置の機能ブロック図である。
【図８】画素値の取得順序を示す模式図である。
【図９】色ベクトルの概略を示す図である。
【図１０】固有ベクトルを表す表である。
【図１１】第２の実施形態に係る情報処理装置の機能ブロック図である。
【図１２】第３の実施形態に係る情報処理装置の機能ブロック図である。
【図１３】第３の実施形態に係る固有ベクトルを表す表である。
【発明を実施するための形態】
【００１９】
更に、被特許文献１では自動判別化により、観察者が紙ベースの便色見本と乳幼児の便色を比較したときに発生しうる、主観によるバイアスは軽減できるものの、便色カラーカードが内包する他の問題点をすべて解消するには至っていない。主観的なバイアスが入り込む以外の問題点としては、カラーカード４番の偽陰性の問題があげられる。これは、胆道閉鎖症と最終的に診断を受けた乳幼児の多くが、カラーカード上では、「要観察（明らかな陽性色ではない）」として定義されている４番の色を示しているという実態があるからである。要観察の色味に対応する便色は、健常児と同様に胆道閉鎖症の発症の初期段階でもみられるため、１時点での判別ではなく、その後、便色が薄くなっていくか否かの継時的な観察と判断が必要となる。胆道閉鎖症の発症から６０日以内の外科的介入が予後を改善するという点を踏まえ、胆道閉鎖症の早期発見を促すためには、生後１か月の段階で、このカラーカードの4番の色味に対して継時的な観察が必要であること、さらに、継時的に観察し色味が変化してきた時点で検知できるシステムが必要である。
【００２０】
また、胆道閉鎖症ではない他の病気であっても、「要観察（明らかな陽性色ではない）」と判断された場合には、継時的な観察し、色味が変化してきた時点で検知できるシステムが必要である。
【００２１】
各実施形態では一例として、生体からの排出物として便を対象とし、特定の病気として胆道閉鎖症を対象として、胆道閉鎖症の可能性の有無の判定方法について説明する。以下、各実施形態について、図面を参照しながら説明する。
【００２２】
第１の実施形態では、既存の胆道閉鎖症児と健常児の便色写真の色情報を50サンプル抽出し、それぞれからRGB及びHSV値を測定し、胆道閉鎖症の有無をアウトカムとして、ロジスティック回帰分析を行った。図１は、ロジスティック回帰分析の結果を示す表である。図１では、Red（赤）、Green（緑）、Blue（青）、Hue（色相）、Saturation（彩度）、 Value（明度）それぞれの粗オッズ比（Crude OR）と９５％信頼区間（Confidence Interval：CI）とｐ値（p-value）を示している。
【００２３】
このロジスティック回帰分析の結果、図１に示すように、Hue（色相）及びSaturation（彩度）のｐ値が最も小さいので、胆道閉鎖症の有無を予測する因子として、Hue（色相）及びSaturation（彩度）の値が統計的に最も有意であるという結果が得られた。このため、第１の実施形態では、色情報は、Hue（色相）及びSaturation（彩度）の情報が含まれるHSVの値を使用する。これにより、胆道閉鎖症の可能性の有無を精度良く判定することができる。
【００２４】
図２は、第１の実施形態に係る情報処理システムの概略構成図である。情報処理システム１０は、端末装置１−１、…、１−Ｎ（Ｎは自然数）と、情報処理装置２とを備える。
端末装置１−１、…、１−Ｎは、無線通信可能であり、通信ネットワーク網３を介して情報処理装置２と通信可能である。端末装置１−１、…、１−Ｎは、多機能携帯電話（いわゆるスマートフォン）、タブレット端末またはノートパソコンなどである。第１の実施形態に係る端末装置１−１、…、１−Ｎは一例としてスマートフォンであるものとして以下説明する。情報処理装置２は一例としてサーバであるものとして以下説明する。以下、端末装置１−１、…、１−Ｎを総称して端末装置１という。
【００２５】
図３は、端末装置の概略構成図である。図３に示すように、端末装置１は、ＲＡＭ（Random Access Memory）１１、記憶部１２、タッチパネル１３、撮像部１４、表示部１５、通信部１６及びＣＰＵ（Central Processing Unit）１７を備える。ＲＡＭ（Random Access Memory）１１は、情報を一次記憶する。記憶部１２は、各種プログラムが記憶されている。タッチパネル１３は、タッチパネル上におけるユーザの操作を受け付ける。撮像部１４は、タッチパネル１３を用いたユーザの操作に応じて、便を撮像する。表示部１５は、ＣＰＵ１７の制御に従って情報を表示する。通信部１６は、無線通信回路であり、ＣＰＵ１７の制御に従って情報処理装置２と通信する。
【００２６】
ＣＰＵ１７は、ユーザの操作に従って、アプリケーション配信サーバから、胆道閉鎖症の可能性の有無を判定する対象アプリをダウンロードするよう通信部１６を制御し、ダウンロードして対象アプリを記憶部１２に記憶させる。ＣＰＵ１７は、ユーザの操作に従って、対象アプリを起動する。そして、ＣＰＵ１７は、対象アプリにおいて、ユーザの操作に従って、便を撮像するよう撮像部１４を制御する。
【００２７】
図４は、対象アプリにおける便の画像領域の指定方法である。図４に示すように、図４の左側の赤枠Ｆ１の範囲で撮影することにより、図４の右側のように便の画像の画像領域Ｂ１が特定される。そして通信部１６は、画像領域Ｂ１のデータを情報処理装置２へ送信する。情報処理装置２では一例として、この画像領域Ｂ１が破線に示すように９つに分割され、分割後の９つの画像領域それぞれについて判定が行われる。
【００２８】
図５は、対象アプリにおける便の画像領域の別の指定方法である。図５に示すように、便の画像を、スワイプするなどして拡大した場合に、拡大画像Ｂ２全体が判定に使用される。そして通信部１６は、拡大画像Ｂ２のデータを情報処理装置２へ送信する。情報処理装置２では一例として、この拡大画像Ｂ２が破線に示すように９つに分割され、分割後の９つの画像領域それぞれについて判定が行われる。
【００２９】
図６は、第１の実施形態に係る情報処理装置の概略構成図である。図６に示すように、情報処理装置２は、ＲＡＭ２１、記憶部２２、通信部２３、ＣＰＵ２４が記憶されている。ＲＡＭ２１は、情報を一次記憶する。記憶部２２は、各種プログラムが記憶されている。通信部２３は、無線通信回路であり、ＣＰＵ２４の制御に従って端末装置１と通信する。ＣＰＵ２４は、記憶部２２からプログラムを読み出して実行することにより、図７に示す機能ブロック図の各機能を実行する。
【００３０】
図７は、第１の実施形態に係る情報処理装置の機能ブロック図である。図７に示すように、ＣＰＵ２４は、第１の特徴量決定部２４１、第２の特徴量決定部２４２、抽出部２４３、生成部２４４、判定部２４５、及び多数決部２４６として機能する。
【００３１】
第１の特徴量決定部２４１は、特定の病気または特定の健康異常がある群における排出物または対象領域の色の特徴を表す第１の特徴量を決定する。第１の実施形態ではその一例として、第１の特徴量決定部２４１は、胆道閉鎖症患者における便の色の特徴を表す第１の特徴量を決定する。
【００３２】
第２の特徴量決定部２４２は、健常者または健康良好な群における排出物または対象領域の色の特徴を表す第２の特徴量を決定する。第１の実施形態ではその一例として、第２の特徴量決定部２４２は、健常児における便の色の特徴を表す第２の特徴量を決定する。
【００３３】
以下、具体的な処理について説明する。第１の実施形態では機械学習の一例としてクラフィック法（ＣＬＡＦＩＣ法）を用いる。また、胆道閉鎖症３０症例、健常児３４症例の便色写真を使用する。予め各症例につき1枚の便色写真から観測値としてHSVの情報に基づく数値ベクトルを獲得し、その後、分割交差検証に基づき、自己相関行列の固有ベクトルを何次まで用いるかを示す閾値の最適を行う。
【００３４】
図８は、画素値の取得順序を示す模式図である。図９は、色ベクトルの概略を示す図である。図１０は、固有ベクトルを表す表である。続いて、胆道閉鎖症３０症例、健常児３４症例の便色写真それぞれについて、図８のように、便が写った画像領域Ｒを抽出する。そして、抽出した画像について、図８の矢印Ａ１に示す方向に、所定数の画素飛ばしで、画素値をＨＳＶにより抽出する。そして、図９に示すように、それぞれの症例について、Ｈ値の集まり、Ｓ値の集まり、Ｖ値の集まりが順に並んだ色ベクトルを作る。例えば、抽出した画像が396×379の合計150084のピクセル数値データの場合、132個ごとの画素値を抽出すれば最終的にＨ値、Ｓ値、Ｖ値に関するデータはそれぞれ1137個になる。従って、この場合の色ベクトルは1行3411列のデータである。
【００３５】
胆道閉鎖症児の群のi番目の観測値（色ベクトル）は、次の式により表される。
【００３６】
X1_{i} = (x1_{i,1}, x1_{i,2}, ... , x1_{i,3411})T      （１）
【００３７】
ただし、X1_{i}はノルム1に正規化されているものとする。ここで、ｊをインデックスとするとx1_{i,j}は画素値を表し、Ｔは転置を表す。胆道閉鎖症児の群の観測値数（症例数）をＮ１（ここでは一例として３０）としたとき、はじめに自己相関行列Ｇ１が計算される。自己相関行列G1は以下の式（２）で表される。
【００３８】
【数１】
2018054443.tif 000003
【００３９】
ここで、Ｔは転置を表している。自己相関行列G1は、自己相関行列G1の固有値λ１および正規固有ベクトルv１により、次式のように展開される。
【００４０】
G1 = λ1_1・v1_1・v1_1T +λ1_2・v1_2・v1_2T + ・・・ + λ1_3411・v1_3411・v1_3411T
【００４１】
交差検証法により与えられた閾値に基づき、最大固有値λ1_1に対する固有ベクトルv1_1からc1番目に大きい固有値λ1_c1に対する固有ベクトルv1_c1までを採用し、次の固有ベクトル行列C1が作成される(ただし、1≦c1≦3411)。
【００４２】
C1 := (v1_1, v1_2, ... , v1_c1)
【００４３】
これらの計算が第１の特徴量決定部２４１により行われる。続いて、健常児の群のi番目の観測値は（色ベクトル）は、次の式により表される。
【００４４】
X0_{i} := (x0_{i,1}, x0_{i,2}, ... , x0_{i,3411})T      （３）
【００４５】
ただし、X0_{i}はノルム1に正規化されているものとする。ここで、x0_{i,j}は画素値を表し、Ｔは転置を表す。健常児の群の観測値数（症例数）をN0（ここでは一例として３４）としたとき、はじめに自己相関行列G0が計算される。自己相関行列G0は以下の式（４）で表される。
【００４６】
【数２】
2018054443.tif 000004
【００４７】
ここで、Ｔは転置を表している。自己相関行列G0は自己相関行列G0の固有値λ0および正規固有ベクトルv0により以下のように展開される。
【００４８】
G0 = λ0_1・v0_1・v0_1T +λ0_2・v0_2・v0_2T + ・・・ + λ0_3411・v0_3411・v0_3411T
【００４９】
最終的に交差検証法により与えられた閾値に基づき、最大固有値λ0_1に対する固有ベクトルv0_1からc0番目に大きい固有値λ0_c0に対する固有ベクトルv0_c0までが採用され、以下の固有ベクトル行列C0が作成される(ただし、1≦c0≦3411)。
【００５０】
C0 := (v0_1, v0_2, ... , v0_c0)
【００５１】
これらの計算は、第２の特徴量決定部２４２により行われる。
【００５２】
第１の特徴量決定部２４１は、自己相関行列G1の固有ベクトルv1_1, v1_2, ... , v1_c1を、胆道閉鎖症児の便の色の特徴を表す第１の特徴量として記憶部２２に記憶する。ここで固有ベクトルv1_1は最も大きい固有ベクトルで、固有ベクトルv1_2は固有ベクトルv1_1と直交する２番目に大きい固有ベクトルであり、固有ベクトルv1_c1は、他の固有ベクトル全てと直交するc1番目に大きい固有ベクトルである。
【００５３】
第２の特徴量決定部２４２は、自己相関行列G0の固有ベクトルv0_1, v0_2, ... , v0_c0を、健常児の便の色の特徴を表す第２の特徴量として記憶部２２に記憶する。ここで固有ベクトルv0_1は最も大きい固有ベクトルで、固有ベクトルv0_2は固有ベクトルv0_c0と直交する２番目に大きい固有ベクトルであり、固有ベクトルv0_c0は、他の固有ベクトル全てと直交するc0番目に大きい固有ベクトルである。
【００５４】
これにより、図１０に示すように、記憶部２２には、自己相関行列G1の固有ベクトルv1_1, v1_2, ... , v1_c1と、自己相関行列G0の固有ベクトルv0_1, v0_2, ... , v0_c0が予め記憶される。以下、閾値c1，c0が３であるものとして説明する。
【００５５】
抽出部２４３は、生体からの排出物の画像または生体の対象領域の画像から複数の画像領域を抽出する。第１の実施形態では生体からの排出物は、便であり、抽出部２４３は一例として、便の画像（例えば、画像領域Ｂ１または拡大画像Ｂ２）から９つの画像領域を抽出する。
【００５６】
生成部２４４は、抽出された画像領域それぞれについて、色情報を表す色特徴量を生成する。この際に生成部２４４は、抽出された画像領域それぞれについて、図８の矢印Ａ１に示す方向に、所定数の画素飛ばしで、画素値をＨＳＶにより抽出する。そして、生成部２４４は、図９に示すように、Ｈ値の集まり、Ｓ値の集まり、Ｖ値の集まりが順に並んだ色ベクトルｘを色特徴量として生成する。
【００５７】
判定部２４５は、生成された色特徴量それぞれに対する、特定の病気または特定の健康異常がある群における排出物または対象領域の色の特徴を表す第１の特徴量との類似度、及び健常者または健康良好な群における排出物または対象領域の色の特徴を表す第２の特徴量との類似度を計算し、これらの類似度を用いて特定の病気の可能性の有無または健康状態の善し悪しを判定する。第１の実施形態では、特定の病気は、胆道閉鎖症であり、判定部２４５は、胆道閉鎖症の可能性の有無を判定する。
【００５８】
具体的には例えば、判定部245は、自己相関行列G1の固有ベクトルv1_1, v1_2, … ,v1_c1から計算される射影行列に色ベクトルxを射影したときのベクトルのノルム2乗値（第１のノルム２乗値という）を計算する。この量が大きいほど、xとベクトルX1_{i}との距離の総和(第1の総和という)が小さいことになる。従って、この総和は、色ベクトルxと第1の特徴量の類似度の一例である。
また、判定部245は、自己相関行列G0の固有ベクトルv0_1, v0_2, … ,v0_c0から計算される射影行列に色ベクトルxを射影したときのベクトルのノルム2乗値（第２のノルム２乗値という）を計算する。この量が大きいほど、xとベクトルX0_{i}との距離の総和(第2の総和という)が小さいことになる。従って、この総和は、色ベクトルxと第2の特徴量の類似度の一例である。
【００５９】
そして、判定部２４５は、第１のノルム２乗値と第２のノルム２乗値同士を比較して、大きい方の群に属しているものと判定する。すなわち、判定部２４５は、第１のノルム２乗値の方が大きければ、胆道閉鎖症の可能性有りと判定し、一方、第２のノルム２乗値の方が大きければ、胆道閉鎖症の可能性無しと判定する。
【００６０】
多数決部２４６は、判定部２４５による複数の判定結果を多数決して、多数決結果に基づく出力情報を出力する。この出力情報は通信部２３から端末装置１に送信される。これにより、端末装置１は、胆道閉鎖症の可能性の有無の表示することができる。この結果、胆道閉鎖症児の学習データ３０例は全て正しく判別された。
【００６１】
また、健常児の学習データ３４例についても全て正しく判別された。すなわち、本実施形態に係る特異度は１００％である。ここで、特異度は陰性のものを正しく陰性と判定する確率である。一方、非特許文献１で報告されたPoopMDは、健常者の学習データ２７例について、３例については中間と判断しており、特異度は８９（＝２４／２７×１００）％である。よって、本実施形態に係る情報処理装置２は、非特許文献１で報告されたPoopMDに比べて、特異度が高い点で優れている。
【００６２】
特に、日本で全国的に使用されている既存の便色カラーカードでは判別が難しいカラーカード４番の色味についても、同じような色味をもった胆道閉鎖症の症例の便色情報と、健常児の便色情報を読み込ませることにより、判断が難しい色調の便色についても正しく判別可能であった。
【００６３】
但し、カラーカード４番に相当するような便色については１時点では判断が難しい場合もある。それに対して第１の実施形態では、判定部２４５は、色特徴量それぞれについて、前記第１の特徴量と色特徴量との類似度、及び第２の特徴量と色特徴量との類似度を用いて、判定が可能か否か決定し、判定が可能で無ければ判定結果として判定不能と判定する。具体的には例えば、第１のノルム２乗値と第２のノルム２乗値のうちの大きい方の値が予め決められた第１の設定値以下である場合、「判定不能」と判定し、第１の設定値を超え且つ予め決められた第２の設定値以下である場合、「明日もう一度」と判定し、第２の設定値を超える場合に、胆道閉鎖症の可能性の有無を判定することなども可能である。ここで、第２の設定値は第１の設定値より大きい。
【００６４】
そして、多数決部２４６は、多数決の結果、判定不能となった場合には、所定の時間経過後の再判定を促すための出力情報を出力する。例えば、多数決部２４６は、翌日の検査値で再判定するよう促すアラートを端末装置１に表示するための出力情報を出力する。この出力情報は通信部２３から端末装置１に送信される。これにより、端末装置１は翌日の検査値で再判定するよう促すアラートを表示することができる。
【００６５】
これにより、カラーカード４番に相当する便色で１時点では判断が難しい場合、翌日にもう一度検査を行うように促す。このため、翌日に便色が更に白っぽく変わっていき、カラーカード３以下の便色に相当する便色の場合に胆道閉鎖症の可能性が有ると判断することができる。これにより、カラーカード４番に相当する便色の後に、便色が薄くなっていくか否かの継時的な観察と判断を行うように促すことができ、胆道閉鎖症の早期発見を促すことができる。
【００６６】
以上、第１の実施形態に係る情報処理装置２において、抽出部２４３は、便の画像から複数の画像領域を抽出する。そして、生成部２４４は、抽出された画像領域それぞれについて、色情報を表す色特徴量を生成する。そして、判定部２４５は、生成された色特徴量それぞれに対する、胆道閉鎖症児群における便の色の特徴を表す第１の特徴量との類似度、及び健常児群における便の色の特徴を表す第２の特徴量との類似度を用いて、胆道閉鎖症の可能性の有無を判定する。そして、多数決部２４６は、複数の判定結果を多数決して、多数決結果に基づく出力情報を出力する。
【００６７】
この構成により、便の画像から抽出した複数の画像領域について判定を行い、判定で得られた複数の判定結果を多数決する。このため、便の画像の一部に色が異なる領域があるかまたはノイズが載って一部の画像領域について間違った判定を行ったとしても、他の過半数以上の画像領域で正しい判定を行えば、正しい判定結果を得ることができる。これにより、便の画像の一部に色が異なる領域があるかまたはノイズが載ったとしても、胆道閉鎖症の有無の判定の精度を維持することができる。
【００６８】
なお、第１の実施形態では色情報として、Hue（色相）及びSaturation（彩度）の情報が含まれるHSVの値を使用したが、これに限ったものではない。色情報は、Hue（色相）及びSaturation（彩度）のいずれか一つだけでも良いし、HVの値を使用してもよいし、SVの値を使用してもよい。
【００６９】
また、第１の実施形態では、ロジスティック回帰分析の結果に基づいて、Hue（色相）及びSaturation（彩度）の情報が含まれるHSVの値を色情報の好ましい態様として用いたが、RGBの値を色情報として使用してもよい。
【００７０】
なお、第１の実施形態では、多数決部２４６は、判定結果全てを多数決したが、これに限ったものではない。判定不能以外の判定結果を多数決してもよい。
【００７１】
また第１の実施形態では、判定結果それぞれは、胆道閉鎖症の可能性の有無、判定不能の三つの選択肢が取り得たが、これに限ったものではない。健康状態の善し悪しを判定する場合には、健康状態の善し悪し、判定不能の三つの選択肢が取り得る。
【００７２】
（第２の実施形態）
続いて、第２の実施形態について説明する。図１１は、第２の実施形態に係る情報処理装置の機能ブロック図である。図１１に示すように、図７の構成と比べて、第２の実施形態は分割数決定部２４７、及び第２の多数決部２４８が追加された構成になっている。
分割数決定部２４７は、抽出部２４３で分割する画像領域の数を複数決定する。例えば、分割数決定部２４７は、乱数を用いて分割する画像領域の数を複数決定する。ここでは、分割する画像領域の数を９、１６、２５とした場合を例に説明する。
【００７３】
抽出部２４３が９分割した場合について、生成部２４４、判定部２４５、多数決部２４６が順次処理を実行し、多数決部２４６は第１の多数決結果を記憶部２２に保存する。同様に、抽出部２４３が１６分割した場合について、生成部２４４、判定部２４５、多数決部２４６が順次処理を実行し、多数決部２４６は第２の多数決結果を記憶部２２に保存する。同様に、抽出部２４３が２５分割した場合について、生成部２４４、判定部２４５、多数決部２４６が順次処理を実行し、多数決部２４６は第３の多数決結果を記憶部２２に保存する。
【００７４】
次に第２の多数決部２４８は、記憶部２２から、第１の多数決結果〜第３の多数決結果の三つの多数決結果を読み出して多数決し、多数決結果に基づく出力情報を出力する。この出力情報は、胆道閉鎖症の可能性の有無または所定の時間経過後の再判定を促すための情報が含まれる。これにより、画像の分割数を三つ用意してそれぞれの多数決結果を更に多数決することによって、画像の分割数に起因する判定誤りを防ぐことができ、判定結果のロバスト性を向上させることができる。
【００７５】
（第３の実施形態）
続いて、第３の実施形態について説明する。図１２は、第３の実施形態に係る情報処理装置の機能ブロック図である。図１２に示すように、図７の構成と比べて、第３の実施形態は判定部２４５−１、２４５−２、２４５−３の三つに増え、多数決部２４６−１、２４６−２、２４６−３の三つに増え、及び第２の多数決部２４９が追加された構成になっている。
【００７６】
図１３は、第３の実施形態に係る固有ベクトルを表す表である。第１の実施形態では、一つの症例について一つの画像領域Ｒを抽出して固有ベクトルを決定したが、第３の実施形態では一つの症例について三つの領域Ｒ１、Ｒ２、Ｒ３を抽出して、それぞれの領域毎に固有ベクトルを決定する。これにより、記憶部２２には、図１３の表に示すように、胆道閉鎖症児の領域Ｒ１の固有ベクトルとしてv1_{1,1}, v1_{2,1}, ... ,v1_{c1_1,1}が記憶され、健常児の領域Ｒ１の固有ベクトルとしてv0_{1,1},v0_{2,1}, ... ,v0_{c0_1,1}が記憶されている。更に、記憶部２２には、図１３の表に示すように、胆道閉鎖症児の領域Ｒ２の固有ベクトルとしてv1_{1,2}, v1_{2,2}, ... ,v1_{c1_2,2}が記憶され、健常児の領域Ｒ２の固有ベクトルとしてv0_{1,2}, v0_{2,2}, ... ,v0_{c0_2,2}が記憶されている。更に、記憶部２２には、図１３の表に示すように、胆道閉鎖症児の領域Ｒ３の固有ベクトルとしてv1_{1,3}, v1_{2,3}, ... ,v1_{c1_3,3}が記憶され、健常児の領域Ｒ３の固有ベクトルとしてv0_{1,3}, v0_{2,3}, ... ,v0_{c0_3,3}が記憶されている。
【００７７】
判定部２４５−１は、記憶部２２を参照して胆道閉鎖症児の領域Ｒ１の固有ベクトルv1_{1,1}, v1_{2,1}, ... ,v1_{c1_1,1}と、健常児の領域Ｒ１の固有ベクトルv0_{1,1}, v0_{2,1}, ... ,v0_{c0_1,1}を用いて、色特徴量それぞれについて胆道閉鎖症の可能性の有無を判定する。そして、多数決部２４６−１は、判定部２４５−１による複数の判定結果を多数決する。
【００７８】
また判定部２４５−２は、記憶部２２を参照して胆道閉鎖症児の領域Ｒ２の固有ベクトルv1_{1,2}, v1_{2,2}, ... ,v1_{c1_2,2}と、健常児の領域Ｒ２の固有ベクトルv0_{1,2}, v0_{2,2}, ... ,v0_{c0_2,2}を用いて、色特徴量それぞれについて胆道閉鎖症の可能性の有無を判定する。そして、多数決部２４６−２は、判定部２４５−２による複数の判定結果を多数決する。
【００７９】
また判定部２４５−３は、記憶部２２を参照して胆道閉鎖症児の領域Ｒ３の固有ベクトルv1_{1,3}, v1_{2,3}, ... ,v1_{c1_3,3}と、健常児の領域Ｒ３の固有ベクトルv0_{1,3}, v0_{2,3}, ... ,v0_{c0_3,3}を用いて、色特徴量それぞれについて胆道閉鎖症の可能性の有無を判定する。そして、多数決部２４６−３は、判定部２４５−３による複数の判定結果を多数決する。
【００８０】
第２の多数決部２４９は、多数決部２４６−１、２４６−２、２４６−３による多数決結果を更に多数決して、この多数決結果に基づく出力情報を出力する。この出力情報は、胆道閉鎖症の可能性の有無または所定の時間経過後の再判定を促すための情報が含まれる。これにより、胆道閉鎖症児の固有ベクトル及び健常児の固有ベクトルを生成する画像領域を三つ用意して、それぞれについて多数決した結果を更に多数決することによって、画像領域の選択に起因する判定誤りを防ぐことができ、判定結果のロバスト性を向上させることができる。
【００８１】
なお、第３の実施形態では、胆道閉鎖症児の固有ベクトル及び健常児の固有ベクトルを生成する画像領域を三つ選択したが、これに限らず、二つであっても四つ以上であってもよい。
【００８２】
なお、複数の装置を備えるシステムが、各実施形態に係る情報処理装置の各処理を、それらの複数の装置で分散して処理してもよい。また、各実施形態に係る情報処理装置の一部または全部の処理を端末装置１が処理してもよい。
【００８３】
また、各実施形態に係る情報処理装置の各処理を実行するためのプログラムをコンピュータ読み取り可能な他の記録媒体に記録して、当該記録媒体に記録されたプログラムをコンピュータシステムに読み込ませ、プロセッサが実行することにより、情報処理装置に係る上述した種々の処理を行ってもよい。
また、各実施形態に係る情報処理装置の各部は、ハードウェアで実装されていてもよい。
【００８４】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００８５】
端末装置１−１、…、１−Ｎ
１１  ＲＡＭ
１２  記憶部
１３  タッチパネル
１４  撮像部
１５  表示部
１６  通信部
１７  ＣＰＵ
２  情報処理装置
２１  ＲＡＭ
２２  記憶部
２３  通信部
２４  ＣＰＵ
２４１  第１の特徴量決定部
２４２  第２の特徴量決定部
２４３  抽出部
２４４  生成部
２４５、２４５−１、２４５−２、２４５−３  判定部
２４６、２４６−１、２４６−２、２４６−３  多数決部
２４７  分割数決定部
２４８、２４９  第２の多数決部
３  通信ネットワーク網
【図１】
2018054443.tif 000005
【図２】
2018054443.tif 000006
【図３】
2018054443.tif 000007
【図４】
2018054443.tif 000008
【図５】
2018054443.tif 000009
【図６】
2018054443.tif 000010
【図７】
2018054443.tif 000011
【図８】
2018054443.tif 000012
【図９】
2018054443.tif 000013
【図１０】
2018054443.tif 000014
【図１１】
2018054443.tif 000015
【図１２】
2018054443.tif 000016
【図１３】
2018054443.tif 000017